(57)【要約】【課題】イベント開始信号を送信するイベント信号送信手段を設けて、使用者が意図して解除したり或いは使用できるようにするとともに、システム機器に応じて認証装置２との距離のイベント開始信号範囲を変えることで、複数のシステム機器を簡便に制御を行うシステムを提供することを目的とする。【解決手段】システム機器１の制御システムは、システム機器１に少なくとも一つは異なるイベント開始信号範囲内を有するシステム機器１を配設し、認証装置２が送信したイベント開始信号でイベント開始信号範囲内に応じてシステム機器１を制御するようにしてあるので、使用者が操作手段３を操作したときにイベント開始信号を送信する同一操作で、複数のシステム機器１を異なる制御ができるようになり、セキュリティ性を維持したまま、使用者の利便性を向上することができる。【選択図】図１
2010206677.tif 000002
【特許請求の範囲】
【請求項１】
無線通信手段を有する複数のシステム機器と、無線通信手段を有し前記システム機器と通信のやりとりを行い前記システム機器をＯＮ、ＯＦＦ、解除等の制御を行う認証装置とを備え、前記認証装置は、スイッチ等の操作手段を配設し、使用者が操作手段を操作したときにイベント開始信号あるいはイベント解除信号を送信するイベント信号送信手段を有し、前記システム機器が前記認証装置からのイベント開始信号を受信したときにＯＮ、ＯＦＦ、解除等の動作を行うとともに、前記システム機器が前記認証装置から送信されるイベント開始信号を受け付けるイベント開始信号範囲を、前記認証装置がシステム機器からの定期信号を受信したときの電波強度の第１所定範囲とした機器情報等の定期信号を送信する定期信号手段を前記システム機器に配設し、且つ、前記認証装置はイベント開始信号範囲の第１所定範囲にある前記システム機器へイベント開始信号を送信するとするとともに、複数の前記システム機器に少なくとも一つは異なるイベント開始信号範囲を有する前記システム機器を配設し、前記認証装置が送信したイベント開始信号でイベント開始信号範囲に応じて前記システム機器を制御するようにしたシステム機器の制御システム。
【請求項２】
前記認証装置が前記システム機器からの定期信号を受信したときの電波強度の第１所定範囲をイベント開始信号範囲とするとともに、前記認証装置に有機ＥＬ等のシステム機器表示手段を配設し、前記認証装置のシステム機器表示手段にイベント開始信号範囲にあるシステム機器を報知するようにした請求項１に記載のシステム機器の制御システム。
【請求項３】
前記システム機器が前記認証装置からのＯＮ、ＯＦＦ、解除等の動作を行うイベント開始信号を受信したときに、前記システム機器は例えばＯＮ動作等の同一方向の動作を行うようにした請求項１〜２のいずれか１項に記載のシステム機器の制御システム。
【請求項４】
前記システム機器が前記認証装置からのＯＮ、ＯＦＦ、解除等の動作を行うイベント開始信号を受け付けたときに、前記システム機器は例えばＯＮ動作等の略同一方向の動作を行うようにするとともに、前記認証装置が前記システム機器より離れて、前記システム機器からの定期信号を受信したときの電波強度が第１所定範囲と同等かそれ以上離れた範囲に設定した第２所定範囲から離れたときに、あるいは離れて所定時間経過した後に、前記システム機器は例えばイベント開始信号を受け付けたときの動作のＯＮ動作のときと反対方向のＯＦＦ動作等の前記同一方向の動作と略反対方向の動作を行うように前記認証装置からイベント解除信号を送信するようにした請求項１〜３のいずれか１項に記載のシステム機器の制御システム。
【発明の詳細な説明】
【技術分野】
【０００１】
本発明は、パソコンやプリンター、照明器具などのシステム機器に、使用者の認証を行いＯＮ、ＯＦＦ、解除等の動作を、無線通信機能を用いたＩＤカード等の認証装置で簡便に制御を行うシステム機器の制御システムに関するものである。
【背景技術】
【０００２】
近年、携帯電話機の普及が目覚ましく、各種形式、機能の携帯電話機が各地で利用されている。現在使用されている携帯電話機は、超小型で軽量、かつ操作性がよく極めて利便性の高いものであり、通話可能な領域内からであればどこからでも自由に移動しながら通話が可能である。
【０００３】
このような携帯電話機が大量に普及すると、それに伴って置き忘れや盗難などにより所有者以外の者の手に渡るなどの事故も多くなり、所有者以外の者が無断使用するという事態も発生する。このような無断使用を防止する対策として従来より携帯電話機には使用制限機能が付加されている（例えば、特許文献１参照）。
【０００４】
そこで、様々な改良が行われ、置き忘れや盗難により携帯電話機などの機器が所有者又は使用者の手元から離れると機器そのものを使用不能にすると共に機器が一定距離以上離れたことを警告することができる機器の使用制限装置を提供する提案がなされている（例えば、特許文献１参照）。
【０００５】
これによれば、使用制限装置は識別信号送信ユニットと使用制限の対象機器に設けられる使用制限解除ユニットとから成り、送信ユニットをポケットなどに入れて身に着けておき両ユニットが一定距離以上離れると対象機器を使用制限し、かつ送信ユニットでは警告を与えるようにしたから、置き忘れや盗難などにより機器が手元から離れると対象機器が使用できなくなり無断使用が防止されると共に送信ユニットの警告で離れたことに直ぐ気付かされ、後の処置が迅速に執れるという顕著な効果が得られるようになる。
【特許文献１】特開平１１−８８４９９号公報
【発明の開示】
【発明が解決しようとする課題】
【０００６】
しかしながら、識別信号送信ユニットと使用制限解除ユニットが一定距離以内であれば、使用制限できないため、近づいただけで使用できてしまうと困る機器、例えば、パソコンやプリンター等の定置場所に置かれているもの、セキュリティ電子錠などには、使用者が近づいただけで、解除したり或いは使用できるようになると、セキュリティの用を果たさない課題があった。そのために、識別信号送信ユニットと使用制限解除ユニットの距離を近づけてしまっても同様の課題を生じる危険性があり、併せて、複数の機器に対応させようとすると、利便性を欠いてしまう心配もあった。
【０００７】
本発明は、前記従来の課題を解決するもので、イベント開始信号を送信するイベント信号送信手段を設けて、使用者が意図して解除したり或いは使用できるようにするとともに、システム機器に応じて認証装置との距離の受付範囲を変えることで、複数のシステム機器を簡便に制御を行うシステム機器の制御システムを提供することを目的とする。
【課題を解決するための手段】
【０００８】
前記従来の課題を解決するために、本発明のシステム機器の制御システムは、無線通信手段を有する複数のシステム機器と、無線通信手段を有し前記システム機器と通信のやり
とりを行い前記システム機器をＯＮ、ＯＦＦ、解除等の制御を行う認証装置とを備え、前記認証装置は、スイッチ等の操作手段を配設し、使用者が操作手段を操作したときにイベント開始信号あるいはイベント解除信号を送信するイベント信号送信手段を有し、前記システム機器が前記認証装置からのイベント開始信号を受信したときにＯＮ、ＯＦＦ、解除等の動作を行うとともに、前記システム機器が前記認証装置から送信されるイベント開始信号を受け付けるイベント開始信号範囲を、前記認証装置がシステム機器からの定期信号を受信したときの電波強度の第１所定範囲とした機器情報等の定期信号を送信する定期信号手段を前記システム機器に配設し、且つ、前記認証装置はイベント開始信号範囲の第１所定範囲にある前記システム機器へイベント開始信号を送信するとともに、複数の前記システム機器に少なくとも一つは異なるイベント開始信号範囲を有する前記システム機器を配設し、前記認証装置が送信したイベント開始信号でイベント開始信号範囲に応じて前記システム機器を制御するようにしてある。
【０００９】
そして、本発明のシステム機器の制御システムは、システム機器が前記認証装置から送信されるイベント開始信号を受け付けるイベント開始信号範囲を、前記認証装置がシステム機器からの定期信号を受信したときの電波強度の第１所定範囲としてあり、認証装置はイベント開始信号範囲の第１所定範囲にあるシステム機器へイベント開始信号を送信して、システム機器をＯＮ、ＯＦＦ、解除等の制御を行うようにしてある。ここで、電波強度は距離に応じて変化するので、イベント開始信号範囲は言い換えると、認証装置とシステム機器の距離の第１所定範囲となり、システム機器に応じてイベント開始信号範囲を変えるようにしてあるので、使用者が移動して認証装置とシステム機器の距離が変化することと、システム機器の異なるイベント開始信号範囲を組み合わせることで、認証装置からイベント開始信号を送信することによって複数のシステム機器を個別に制御できるようになる。
【００１０】
つまり、認証装置から同一のイベント開始信号を送信しても、使用者とシステム機器の位置関係、距離によって、ＯＮ、ＯＦＦ、解除等の動作するシステム機器を変えることができ、システム機器の特質と使用者が移動して認証装置とシステム機器の距離が変化することを組み合わせて、システム機器のイベント開始信号範囲を異なる設定することで、セキュリティ性を維持したまま利便性を向上することができるようになる。
【００１１】
たとえば、複数のシステム機器それぞれのイベント開始信号範囲を、照明器具は５ｍ以内、プリンターは３ｍ以内、パソコンは１ｍ以内、セキュリティ電子錠は０．８ｍ以内と設定して、認証装置から同一のイベント開始信号を送信すると、使用者とシステム機器の距離によってＯＮ、ＯＦＦ、解除等の動作するシステム機器を変えることができ、たとえば、使用者がパソコンの近くにいたとすると、パソコンと照明器具はＯＮさせて他は動作させないといったような使い方ができる。
【００１２】
このように、使用者が操作手段を操作したときにイベント開始信号を送信する同一操作で、複数のシステム機器を異なる制御ができるようになり、使用者の利便性を向上することができ、また、使用者が意識して操作することで、セキュリティ性を維持することができるようになる。
【発明の効果】
【００１３】
本発明のシステム機器の制御システムは、システム機器に少なくとも一つは異なるイベント開始信号範囲を有するシステム機器を配設し、認証装置が送信したイベント開始信号でイベント開始信号範囲に応じてシステム機器を制御するようにしてあるので、使用者が操作手段を操作したときにイベント開始信号を送信する同一操作で、複数のシステム機器を異なる制御ができるようになり、セキュリティ性を維持したまま、使用者の利便性を向上することができる。
【発明を実施するための最良の形態】
【００１４】
第１の発明によるシステム機器の制御システムは、無線通信手段を有する複数のシステム機器と、無線通信手段を有し前記システム機器と通信のやりとりを行い前記システム機器をＯＮ、ＯＦＦ、解除等の制御を行う認証装置とを備え、前記認証装置は、スイッチ等の操作手段を配設し、使用者が操作手段を操作したときにイベント開始信号あるいはイベント解除信号を送信するイベント信号送信手段を有し、前記システム機器が前記認証装置からのイベント開始信号を受信したときにＯＮ、ＯＦＦ、解除等の動作を行うとともに、前記システム機器が前記認証装置から送信されるイベント開始信号を受け付けるイベント開始信号範囲を、前記認証装置がシステム機器からの定期信号を受信したときの電波強度の第１所定範囲とした機器情報等の定期信号を送信する定期信号手段を前記システム機器に配設し、且つ、前記認証装置はイベント開始信号範囲の第１所定範囲にある前記システム機器へイベント開始信号を送信するとともに、複数の前記システム機器に少なくとも一つは異なるイベント開始信号範囲を有する前記システム機器を配設し、前記認証装置が送信したイベント開始信号でイベント開始信号範囲に応じて前記システム機器を制御するようにしてある。
【００１５】
そして、本発明のシステム機器の制御システムは、システム機器が前記認証装置から送信されるイベント開始信号を受け付けるイベント開始信号範囲を、前記認証装置がシステム機器からの定期信号を受信したときの電波強度の第１所定範囲としてあり、認証装置はイベント開始信号範囲の第１所定範囲にあるシステム機器へイベント開始信号を送信して、システム機器をＯＮ、ＯＦＦ、解除等の制御を行うようにしてある。ここで、電波強度は距離に応じて変化するので、イベント開始信号範囲は言い換えると、認証装置とシステム機器の距離の第１所定範囲となり、システム機器に応じてイベント開始信号範囲を変えるようにしてあるので、使用者が移動して認証装置とシステム機器の距離が変化することと、システム機器の異なるイベント開始信号範囲を組み合わせることで、認証装置からイベント開始信号を送信することによって複数のシステム機器を個別に制御できるようになる。
【００１６】
つまり、認証装置から同一のイベント開始信号を送信しても、使用者とシステム機器の位置関係、距離によって、ＯＮ、ＯＦＦ、解除等の動作するシステム機器を変えることができ、システム機器の特質と使用者が移動して認証装置とシステム機器の距離が変化することを組み合わせて、システム機器のイベント開始信号範囲を異なる設定することで、セキュリティ性を維持したまま利便性を向上することができるようになる。
【００１７】
たとえば、複数のシステム機器それぞれのイベント開始信号範囲を、照明器具は５ｍ以内、プリンターは３ｍ以内、パソコンは１ｍ以内、セキュリティ電子錠は０．８ｍ以内と設定して、認証装置から同一のイベント開始信号を送信すると、使用者とシステム機器の距離によってＯＮ、ＯＦＦ、解除等の動作するシステム機器を変えることができ、たとえば、使用者がパソコンの近くにいたとすると、パソコンと照明器具はＯＮさせて他は動作させないといったような使い方ができる。
【００１８】
このように、使用者が操作手段を操作したときにイベント開始信号を送信する同一操作で、複数のシステム機器を異なる制御ができるようになり、使用者の利便性を向上することができ、また、使用者が意識して操作することで、セキュリティ性を維持することができるようになる。
【００１９】
また、第２の発明によるシステム機器の制御システムは、特に、第１の発明の認証装置が前記システム機器からの定期信号を受信したときの電波強度の第１所定範囲をイベント開始信号範囲とするとともに、前記認証装置に有機ＥＬ等のシステム機器表示手段を配設
し、前記認証装置のシステム機器表示手段にイベント開始信号範囲にあるシステム機器を報知するようにしてある。
【００２０】
そして、認証装置が、システム機器からの定期信号の電波強度がイベント開始信号範囲の第１所定範囲のときに、システム機器表示手段でイベント開始信号範囲にあるシステム機器を報知するようにしてあるので、使用者は手元にある認証装置のシステム機器表示手段でどのシステム機器が受付可能状態を確認することができ、視認性が向上し、さらに利便性を向上することができるとともに、誤って解除することを防止できるようになる。また、使用者がイベント開始信号を送信したのに、思いとは異なるシステム機器が動作したとき等の確認ができるようになり、使用ミス等による不安感を取り除くことができるようになる。
【００２１】
また、第３の発明によるシステム機器の制御システムは、特に、第１または２のいずれかの発明のシステム機器が前記認証装置からのＯＮ、ＯＦＦ、解除等の動作を行うイベント開始信号を受信したときに、前記システム機器は例えばＯＮ動作等の同一方向の動作を行うようにしてある。
【００２２】
そして、使用者とシステム機器の距離によって異なるイベント開始信号範囲を有するシステム機器、あるいは、使用者とシステム機器の距離が異なる複数のシステム機器に、使用者が移動して、順次動作させるときに、使用者がはじめのイベント開始信号範囲にあるシステム機器にイベント開始信号を送信し動作させた後に、使用者が移動して、次のイベント開始信号範囲に入ったシステム機器を動作させるために使用者が２度目のイベント開始信号を送信させた場合、はじめのイベント開始信号範囲にあるシステム機器が２度目のイベント開始信号を受けてしまう。そこで、システム機器が前記認証装置からのＯＮ、ＯＦＦ、解除等の動作を行うイベント開始信号を受信したときに、システム機器は例えばＯＮ動作等の略同一方向の動作を行うようにしてあるので、はじめのイベント開始信号範囲にあるシステム機器が２度以上のイベント開始信号を受け取っても、はじめのイベント開始信号で受信したときの動作の状態を保持し、意図せず逆の動作することを防止でき、利便性を向上することができるようになる。
【００２３】
また、第４の発明によるシステム機器の制御システムは、特に、第３の発明の前記システム機器が前記認証装置からのＯＮ、ＯＦＦ、解除等の動作を行うイベント開始信号を受け付けたときに、前記システム機器は例えばＯＮ動作等の略同一方向の動作を行うようにするとともに、前記認証装置が前記システム機器より離れて、前記システム機器からの定期信号を受信したときの電波強度が第１所定範囲と同等かそれ以上離れた範囲に設定した第２所定範囲から離れたときに、あるいは離れて所定時間経過した後に、前記システム機器は例えばイベント開始信号を受け付けたときの動作がＯＮ動作のときと反対方向のＯＦＦ動作等の前記同一方向の動作と略反対方向の動作を行うように前記認証装置からイベント解除信号を送信するようにしてある。
【００２４】
そして、第３の発明の効果に加え、認証装置が前記システム機器より離れて、前記システム機器からの定期信号を受信したときの電波強度が第１所定範囲と同等以上の範囲に設定した第２所定範囲から離れたときに、あるいは離れて所定時間経過した後に、前記システム機器は例えばイベント開始信号を受信したときの動作がＯＮ動作のときと反対方向のＯＦＦ動作等の前記同一方向の動作と略反対方向の動作を行うように認証装置からイベント解除信号を送信するようにしてあるので、使用者がシステム機器より離れるだけで、イベント開始信号を受信したシステム機器を元の状態に戻すことができ、セキュリティ性と利便性を向上することができるようになる。
【００２５】
以下、本発明の実施の形態について、図面を参照しながら説明する。なお、本実施の形
態によって本発明が限定されるものではない。
【００２６】
（実施の形態１）
図１は本発明の実施の形態１のシステム構成の概略図、図２は同説明図、図３はブロック図である。
【００２７】
本発明は、図１に示すように、大きく分けると、無線通信手段を有する複数のシステム機器１と、使用者が携帯して無線通信手段を有しシステム機器と通信のやりとりを行いシステム機器１をＯＮ、ＯＦＦ、解除等の制御を行う認証装置２からなる。
【００２８】
この認証装置２は、スイッチ等の操作手段３を配設し、使用者が操作手段３を操作したときにイベント開始信号あるいはイベント解除信号を送信するイベント信号送信手段４とを有している。また、システム機器１が認証装置２から送信されるイベント開始信号を受け付けるイベント開始信号範囲を、認証装置２がシステム機器１からの定期信号を受信したときの電波強度の第１所定範囲とした機器情報等の定期信号を送信する定期信号手段３をシステム機器１に配設してあり、認証装置２は、イベント開始信号範囲の第１所定範囲にあるシステム機器１へイベント開始信号を送信して、ＯＮ、ＯＦＦ、解除等の動作させるようになっている。
【００２９】
ここで、イベント開始信号範囲は、それぞれのシステム機器１に個別の範囲が割り当てられていて、電波強度は距離に応じて変化するので、イベント開始信号範囲は言い換えると、認証装置２とシステム機器１の距離の第１所定範囲となり、システム機器１に応じてイベント開始信号範囲を変えるようにしてあるので、使用者が移動して認証装置２とシステム機器１の距離が変化することと、システム機器１の異なるイベント開始信号範囲を組み合わせることで、認証装置２からイベント開始信号を送信することによって複数のシステム機器１を個別に制御できるようになる。
【００３０】
例えば、システム機器１としては、それぞれの個別のイベント開始信号範囲を、複数の照明器具６は５ｍ以内、複数の使用者が使用するネットワーク接続プリンター７は３ｍ以内、１人の使用者が使用するパソコン８は１ｍ以内、人の入出をチェックするセキュリティ扉に設けたセキュリティ電子錠９は０．８ｍ以内と割り当ててあり、イベント開始信号範囲等の機器情報信号を受信した認証装置２には、有機ＥＬ等のシステム機器表示手段２ａを配設し、システム機器表示手段２ａでイベント開始信号範囲内にあるシステム機器１を報知するようにしてある。
【００３１】
さらに、システム機器１が認証装置２からのイベント開始信号を受信したときに、システム機器１は例えばＯＮ動作等の略同一方向の動作を行うようにするとともに、認証装置２がシステム機器１より離れて、システム機器１からの定期信号を受信したときの電波強度が第１所定範囲と同等以上の範囲に設定した第２所定範囲から離れたときに、あるいは離れて所定時間経過した後に、システム機器１は例えばイベント開始信号を受信したときの動作がＯＮ動作のときと反対方向のＯＦＦ動作等の同一方向の動作と略反対方向の動作を行うようにしてある。
【００３２】
上記したシステム構成において、認証装置２を携帯した使用者が移動していき、システム機器１の定期信号送信手段３から送信された定期信号を認証装置２が受信して、その電波強度の第１所定範囲になると、システム機器１は認証装置２からのイベント開始信号範囲内となり、認証装置２のシステム機器表示手段２ａにイベント開始信号範囲にあるシステム機器１を報知するようになっていて、使用者は、システム機器表示手段２ａによって、イベント開始信号受付範囲にあるシステム機器１が確認できるようになる。
【００３３】
このように、使用者は、使用したいイベント開始信号範囲にあるシステム機器１を確認して、認証装置２のイベント信号送信手段４を操作し、イベント開始信号を送信すると、認証装置２からのイベント開始信号範囲内のシステム機器１が、イベント開始信号を受け付け、システム機器１はＯＮ、ＯＦＦ、解除等の動作を行う。
【００３４】
また、システム機器１がイベント開始信号を受信したときの動作は、例えばＯＮ動作等の略同一方向の動作を行うようになっている。また、認証装置２を携帯した使用者がシステム機器１より離れて、システム機器１からの定期信号を受信したときの電波強度が第２所定範囲より小さくなって所定時間経過した後に、システム機器１は例えばイベント開始信号を受信したときの動作がＯＮ動作のときと反対方向のＯＦＦ動作等の同一方向の動作と略反対方向の動作を行うように認証装置からイベント解除信号を送信するようになっている。
【００３５】
例えば、使用者が認証装置２を携帯して動作する場合の行動パターンの１例を記載すると、使用者がセキュリティ扉から入る場合に、セキュリティ扉に近づいていき０．８ｍ以内（位置Ａ）になると、セキュリティ扉のセキュリティ電子錠９は認証装置２からのイベント開始信号範囲内となる。そして、認証装置２のシステム機器表示手段２ａにイベント開始信号範囲にあるシステム機器１すなわちセキュリティ電子錠９を報知するようになっていて、使用者は、システム機器表示手段２ａを確認して、使用者が認証装置２のイベント信号送信手段４を操作して、イベント開始信号を送信すると、セキュリティ扉のセキュリティ電子錠９はイベント開始信号を受け付けて、解錠動作を例えば約１０秒間行い、使用者はその間にセキュリティ扉を開けて通過する。
【００３６】
このとき、セキュリティ電子錠９はイベント開始信号を受け付けると、約１０秒間解錠動作を行うとともに、その間にセキュリティ電子錠９の開け閉め行うことで解錠を停止し、更に、使用者が入らずに離れていって、セキュリティ扉から約１秒間１ｍ以上離れると、セキュリティ電子錠９の解錠を停止するようになっている。
【００３７】
次に、使用者が部屋に入って移動していき、通路（位置Ｂ）にさしかかると、使用者から５ｍ以内にある複数の照明器具６が認証装置２からのイベント開始信号範囲内となる。そして、認証装置２のシステム機器表示手段２ａにイベント開始信号範囲にあるシステム機器１すなわち照明器具６を報知するようになっていて、使用者は、システム機器表示手段２ａを確認し、使用者が認証装置２のイベント信号送信手段４を操作して、イベント開始信号を送信すると、使用者から５ｍ以内にある複数の照明器具６が点灯する。このとき、セキュリティ電子錠９は使用者からの距離が１ｍ以上離れているため、イベント開始信号範囲内にないため、イベント開始信号を受け付けず、解錠動作は行わない。なお、部屋に入る前にセキュリティ電子錠９のため、セキュリティ扉の前０．８ｍ以内（位置Ａ）では、セキュリティ扉に近い照明器具６がそのイベント開始信号範囲内５ｍにあり、セキュリティ扉に近い照明器具６がセキュリティ電子錠９の解錠動作と同時に点灯するが、これは、使用者がセキュリティ電子錠９を解錠して部屋に入らないと、部屋のシステム機器１が認証装置２からのイベント開始信号範囲内とならないようにしてもよく、利便性を考慮して設定すれば良い。このような認証装置２からのイベント開始信号範囲内の順序の組合せ等によるシステム機器１の制御を付加することで、さらに、幅広い使用方法が展開できるようになる。
【００３８】
さらに、照明器具６は利便性を考慮して、照明器具６から使用者が約３００秒間５ｍ以上離れると、イベント開始信号受付解除するようになっていて、使用者が移動していき、通路（位置Ｃ）に位置すると、前の場所：通路（位置Ｂ）で点灯させた照明器具６がイベント開始信号範囲内５ｍから外れて、約３００秒間後に消灯する。変わりに、次にイベント開始信号範囲内に入った複数の照明器具６が認証装置２からのイベント開始信号範囲内
となる。そして、認証装置２のシステム機器表示手段２ａにイベント開始信号範囲内にあるシステム機器１すなわち照明器具６を報知するようになっていて、使用者は、システム機器表示手段２ａを確認し、使用者が認証装置２のイベント信号送信手段４を操作して、イベント開始信号を送信すると、使用者から５ｍ以内にある複数の照明器具６が点灯する。このように、認証装置２を携帯した使用者が移動していくにつれて、動作するシステム機器１の認証装置２からのイベント開始信号範囲内も移動していき、使用者が随時イベント信号送信手段４を操作して、イベント開始信号を送信することで、複数のシステム機器１が制御できる。
【００３９】
次に、使用者が移動して自分のパソコン８のある机（位置Ｄ）につくと、使用者が使用するパソコン８がイベント開始信号範囲内に入り、認証装置２のシステム機器表示手段２ａにイベント開始信号範囲内にあるシステム機器１すなわち照明器具６とパソコン８を報知するようになっていて、使用者は、システム機器表示手段２ａを確認し、使用者が認証装置２のイベント信号送信手段４を操作して、イベント開始信号を送信すると、使用者から１ｍ以内にあるパソコン８が使用できるようにロックが解除されるとともに、５ｍ以内にある複数の照明器具６が点灯する。ここで、パソコン８は使用者が資料や近くのものを取り出すなどの利便性とセキュリティ性を考慮し、パソコン８から使用者が約６０秒間２ｍ以上離れると、パソコン８は使用できないようにロックがかかるようになっている。
【００４０】
また、使用者がパソコン８から、遠くに位置にあるプリンター７（位置Ｅ）に印刷処理を行うと、プリンター７は印刷せずに印刷待ち状態となり、使用者が移動してプリンター７の近く３ｍ以内になると、認証装置２からのイベント開始信号範囲内となる。そして、認証装置２のシステム機器表示手段２ａにイベント開始信号範囲内にあるシステム機器１すなわち照明器具６とプリンター７を報知するようになっていて、使用者は、システム機器表示手段２ａを確認し、使用者が認証装置２のイベント信号送信手段４を操作して、イベント開始信号を送信すると、プリンター７は印刷を開始する。そして、使用者が印刷物を持ってパソコン８に帰るまでの時間が約６０秒間以内であれば、パソコン８はロックせずにそのまま使用できるが、約６０秒間を超えてしまうと、使用できないようにロックがかかり、使用者は再度認証装置２のイベント信号送信手段４を操作して、イベント開始信号を送信して、ロックを解除してパソコン８が使用できるようにする。
【００４１】
上述したように、システム機器１のイベント開始信号受付範囲等の機器情報の定期信号の内容に対応させた認証装置２がシステム機器１からの定期信号を受信したときの電波強度の第１所定範囲をイベント開始信号範囲としてあり、電波強度は距離に応じて変化するので、イベント開始信号範囲内は言い換えると、認証装置２とシステム機器１の距離の第１所定範囲となり、システム機器１に応じてイベント開始信号範囲内を変えるようにしてあるので、使用者が移動して認証装置２とシステム機器１の距離が変化することと、システム機器１の異なるイベント開始信号範囲内を組み合わせることで、認証装置２からイベント開始信号を送信によって複数のシステム機器１を個別に制御できるようになる。
【００４２】
つまり、認証装置２から同一の操作手段を操作してイベント開始信号を送信しても、使用者とシステム機器１の位置関係、距離によって、ＯＮ、ＯＦＦ、解除等の動作するシステム機器１を変えることができ、システム機器１の特質と使用者が移動して認証装置２とシステム機器１の距離が変化することを組み合わせて、システム機器１のイベント開始信号範囲内を異なる設定することで、セキュリティ性を維持したまま利便性を向上することができるようになる。
【００４３】
たとえば、行動パターンの１例のように、使用者が操作手段３を操作したときにイベント開始信号を送信する同一操作で、複数のシステム機器１を異なる制御ができるようになり、使用者の利便性を向上することができ、また、使用者が意識して操作することで、セ
キュリティ性を維持することができるようになる。
【００４４】
そして、認証装置２が、システム機器表示手段２ａでイベント開始信号範囲内にあるシステム機器１を報知するようにしてあるので、使用者は手元にある認証装置２のシステム機器表示手段２ａでイベント開始信号範囲内にあるシステム機器１を確認することができ、視認性が向上し、さらに利便性を向上することができるとともに、誤って解除することを防止できるようになる。また、使用者がイベント開始信号を送信したのに、思いとは異なるシステム機器１が動作したとき等の確認ができるようになり、使用ミス等による不安感を取り除くことができるようになる。
【００４５】
そしてまた、使用者とシステム機器１の距離によって異なるイベント開始信号範囲内を有するシステム機器１、あるいは、使用者とシステム機器１の距離が異なる複数のシステム機器１に、使用者が移動して、順次動作させるときに、使用者がはじめのイベント開始信号範囲内にあるシステム機器１にイベント開始信号を送信し動作させた後に、使用者が移動して、次のイベント開始信号範囲内に入ったシステム機器１を動作させるために使用者が２度目のイベント開始信号を送信させた場合、はじめのイベント開始信号範囲内にあるシステム機器１が２度目のイベント開始信号を受けてしまう。そこで、システム機器１が認証装置２からのＯＮ、ＯＦＦ、解除等の動作を行うイベント開始信号を受信したときに、システム機器１は例えばＯＮ動作等の略同一方向の動作を行うようにしてあるので、はじめのイベント開始信号範囲内にあるシステム機器１が２度以上のイベント開始信号を受け取っても、はじめのイベント開始信号で受信したときの動作の状態を保持し、意図せず逆の動作することを防止でき、利便性を向上することができるようになる。
【００４６】
さらに、認証装置２がシステム機器１より離れて、システム機器１からの定期信号を受信したときの電波強度が第１所定範囲と同等かそれ以上離れた範囲に設定した第２所定範囲から離れたときに、あるいは離れて所定時間経過した後に、システム機器１は例えばイベント開始信号を受信したときの動作がＯＮ動作のときと反対方向のＯＦＦ動作等の同一方向の動作と略反対方向の動作を行うようにしてあるので、使用者がシステム機器１より離れるだけで、イベント開始信号を受信したシステム機器１を元の状態に戻すことができ、セキュリティ性と利便性を向上することができるようになる。
【００４７】
なお、実施の形態のシステム機器１のイベント開始信号受付範囲の設定や、システム機器１のイベント開始信号受付時におけるシステム機器１の動作シーケンスやなどの設定は、個別のシステム機器１の使われ方などに応じて、利便性とセキュリティ性をバランスをとって設定すればよい。
【００４８】
また、認証装置２のシステム機器表示手段２ａに表示されるイベント開始信号範囲内にあるシステム機器１を、個別のシステム機器１、例えば、複数の照明器具６それぞれを個別に表示するようにしても良く、また、グループ化したシステム機器１を代表して、まとめてひとつにして表示するようにしても良く、視認性と確認のしやすさなどを考慮して、表示するようにすればよい。
【００４９】
さらに、複数の照明器具６のように共通するシステム機器１の動作を連動させて行うなど、認証装置２からのイベント開始信号範囲内の組合せによるシステム機器１の制御を付加することで、さらに、幅広い使用方法が展開できるようになり、その他各部の構成も本発明の目的を達成する範囲であればその構成はどのようなものであってもよい。
【産業上の利用可能性】
【００５０】
以上のように、本発明にかかるシステム機器１の制御システムは、システム機器に少なくとも一つは異なるイベント開始信号範囲を有するシステム機器を配設し、認証装置が送
信したイベント開始信号でイベント開始信号範囲、すなわち、認証装置とシステム機器の距離に応じてシステム機器を制御するようにしてあるので、使用者が操作手段を操作したときにイベント開始信号を送信する同一操作で、複数のシステム機器を異なる制御ができるようになり、セキュリティ性を維持したまま、使用者の利便性を向上することができ、オフィスのセキュリティ扉のセキュリティ電子錠や、システム機器の制御キー等の用途に適用できる。
【図面の簡単な説明】
【００５１】
【図１】本発明の実施の形態１のシステム機器１の制御システムの概略図
【図２】本発明の実施の形態１のシステム機器１の制御システムの説明図
【図３】本発明の実施の形態１のシステム機器１のブロック図
【符号の説明】
【００５２】
１  システム機器
２  認証装置
２ａ  システム機器表示手段
３  定期信号送信手段
４  操作手段
５  イベント信号送信手段
【図１】
2010206677.tif 000003
【図２】
2010206677.tif 000004
【図３】
2010206677.tif 000005